(57)【要約】化粧料塗布デバイスは、塗布部材と、位置決め支持システムとを含み、したがって化粧料の塗布のための向上した精度及び左右繰返し性を提供する。塗布部材は、任意選択的に、位置決め支持システムに対して調整可能且つ再配置可能であり、及び任意選択的に１つ又は複数の着色料部材、ガイド部材又は交換塗布部材とともにキット形態でさらに提供され得る。提案された本発明を使用する方法が提供される。
2021502223.tif 000002
【特許請求の範囲】
【請求項１】
長尺体と、
前記長尺体の１つの端部における第１塗布具と、
前記長尺体に結合された可動要素であって、第２塗布具を含む可動要素と
を含む化粧料塗布具デバイスであって、
前記可動要素は、前記長尺体の一部にわたって移動可能である、化粧料塗布具デバイス。
【請求項２】
前記第２塗布具は、前記可動要素が前記長尺体の前記一部にわたって移動されるとき、弧状経路において移動される、請求項１に記載の化粧料塗布具デバイス。
【請求項３】
前記可動要素は、前記長尺体における支点を中心に弧状運動で前記長尺体の前記一部にわたって移動可能である、請求項１に記載の化粧料塗布具デバイス。
【請求項４】
前記可動要素は、前記支点において前記長尺体に結合される、請求項３に記載の化粧料塗布具デバイス。
【請求項５】
前記可動要素は、前記第１塗布具に近接する第１位置と、前記第１塗布具から離れた第２位置との間で前記第２塗布具を枢動させるように構成されたヒンジを含む、請求項１に記載の化粧料塗布具デバイス。
【請求項６】
前記可動要素は、前記第２塗布具を回転させるように構成された回転式継手を含む、請求項１に記載の化粧料塗布具デバイス。
【請求項７】
前記長尺体は、前記可動要素の移動経路を画定する開口部を含む、請求項１に記載の化粧料塗布具デバイス。
【請求項８】
前記長尺体の反対側の端部における第３塗布具をさらに含む、請求項１に記載の化粧料塗布具デバイス。
【請求項９】
前記第３塗布具は、ブレンダブラシを含む、請求項８に記載の化粧料塗布具デバイス。
【請求項１０】
前記第１塗布具及び前記第２塗布具の１つ又は複数は、前記化粧料塗布具デバイスに着脱可能に結合される、請求項１に記載の化粧料塗布具デバイス。
【請求項１１】
長尺体と、
前記長尺体の１つの端部における第１塗布具と、
前記長尺体に結合された可動要素であって、第２塗布具を含む可動要素と
を含む化粧料塗布具デバイスであって、
前記可動要素は、支点において前記長尺体に結合され、且つ前記支点を中心に枢動可能である、化粧料塗布具デバイス。
【請求項１２】
前記第２塗布具は、前記可動要素が前記支点を中心に枢動されるとき、弧状経路において移動される、請求項１１に記載の化粧料塗布具デバイス。
【請求項１３】
前記可動要素は、前記第１塗布具に近接する第１位置と、前記第１塗布具から離れた第２位置との間で前記第２塗布具を枢動させるように構成されたヒンジを含む、請求項１１に記載の化粧料塗布具デバイス。
【請求項１４】
前記可動要素は、前記第２塗布具を回転させるように構成された回転式継手を含む、請求項１１に記載の化粧料塗布具デバイス。
【請求項１５】
前記長尺体は、前記可動要素の移動経路を画定する開口部を含む、請求項１１に記載の化粧料塗布具デバイス。
【請求項１６】
前記長尺体の反対側の端部における第３塗布具をさらに含む、請求項１１に記載の化粧料塗布具デバイス。
【請求項１７】
前記第３塗布具は、ブレンダブラシを含む、請求項１６に記載の化粧料塗布具デバイス。
【請求項１８】
前記第１塗布具及び前記第２塗布具の１つ又は複数は、前記化粧料塗布具デバイスに着脱可能に結合される、請求項１１に記載の化粧料塗布具デバイス。
【発明の詳細な説明】
【技術分野】
【０００１】
関連出願の相互参照
本出願は、２０１７年１１月８日に出願された米国仮特許出願第６２／５８３，２４９号明細書の利益及びそれに対する優先権を主張し、その出願の内容全体が参照により本明細書に援用される。
【０００２】
本出願は、化粧料塗布デバイス並びに関連する代替的なシステム、キット及び使用方法に関する。より詳細には、本発明は、アイライナ、アイクリース及びアイブロウ着色剤の使用を含む、目元強調マークの適応的且つ正確な塗布のための装置を提供する。
【背景技術】
【０００３】
当業者に理解されるように、使用者の眼瞼、目の上眼瞼溝領域及び眉毛の上に着色料マークを塗布する市販のデバイスがある。従来、これらは、長尺状シリンダ状形態（例えば、ペンシル）又はハンドルを有する長尺状ブラシ又はパッド形態（例えば、塗布具）で提供される。こうした消費財は、色のスペクトルに沿った任意のカラーマークにおけるものであり得、従来のメイクアップカラーとともに、混合色のスペクトルにわたる華やかな、装飾的な又は娯楽的な色を含む。従来、こうした消費財は、使用者により、カラーマークの好みで選択される。色及びトーンは、広範囲に広がっているが、無限であることが当業者に理解されるであろう。そうした色及びトーンは、非限定的な例として、Ｐａｎｔｏｎｅ，Ｉｎｃ．によって提供されるＰＡＮＴＯＮＥ（登録商標）ＣＯＬＯＲ  ＳＰＥＣＦＩＥＲにおけるすべての色及びトーンの組合せを含むことになる。
【０００４】
ここで、図１を参照して、当業者に理解されるような、使用者１の従来理解されている特徴について考察する。使用者１は、それぞれの眉毛２、２と、各使用者１に対して下にある骨構造を示す眉弓３、３とを含む。それぞれの目４、４及び鼻５は、使用者の顔面構成を二分する顔面正中線１４に位置決めされた、口６の上方の鼻筋５ａと顎先の突起７とを有する。
【０００５】
顎先の突起７は、使用者１の顎先の直近のものであると理解されるであろう。各頬骨中心８、８が設けられる。それは、使用者１の頬骨の主な弓形頂部であるようにも理解される。それぞれの眉毛下皮膚９、９は、各使用者の実際の目４、４の上方に延在し、使用者１に応じて異なるさまざまな構造を有し得る。各眉毛下皮膚９は、それぞれの眉毛２に達する前の各目４の上方の皮膚部分であると理解されるであろう。各目４、４の下方にそれぞれの目下皮膚１０、１０がある。それは、それぞれの頬骨中心８に達する前の各目４の下方の皮膚部分として概して理解されるであろう。各眉毛下皮膚９及び各目下皮膚１０は、使用者によりサイズ、輪郭、形状及び肌理が異なり得る。
【０００６】
各目４は、それぞれの下眼瞼接触面１１と、反対側の上眼瞼接触面１２とを有する。各目４は、それぞれの内縁部４ａ（各使用者の目の閉じたひだ及び使用者の涙道に近接、内眼角領域）と、それぞれの外縁部４ｂ（各目４の閉じたひだに近接）とを有することが理解される。
【０００７】
眼瞼接触面１１、１２は、実際の睫毛（図示されるが、番号付けされていない）を含む「漸近接触」面である。当業者に理解されるように、さまざまな使用者１は、１つ又は複数の眼瞼の上眼瞼溝１３（各目の上方に１つの上眼瞼溝１３を示すが、上眼瞼溝なしであるか又は複数の上眼瞼溝があり得る）を含むことができる。
【０００８】
当技術分野において理解されるように、眉毛下皮膚９、目下皮膚１０並びにそれぞれの下方瞼接触面１１及び上方瞼接触面１２に対し、さまざまなメイクアップ製品が従来の方法で塗布される。
【０００９】
ここで、図２を参照すると、使用者１は、使用者の睫毛の直上の眉毛下皮膚９領域の一部分の上への、チップ端部１６を有する従来のメイクアップペンシル１５の例示的な従来の適用を実演している。図示するように、このプロセスには、使用者の目４、４に対する各側（左／右）に対してぎこちない両手の使用が必要である。図示するように、使用者１は、フリーハンドで、且つ「塗布」形態構成（メイクアップが施される形態）をもたらすために、（直線を引くことができるように眉毛下皮膚９を直線にするための）ある種の皮膚引張技法として、使用者の他方の手と組み合せてペンシル１５を使用している。直線は、フリーハンドで引くのが最も容易な種類の線として認識される。不都合なことに、使用者が自らの手を緩めると、各目４の眉毛下皮膚９は、使用者の自然な形状に戻ることになる。実践により、使用者は、「塗布形態」に基づいて所望の「最終」形態を推定することができる。不都合なことに、フリーハンド技法を使用する場合、使用者による各塗布に対して、「塗布形態」に基づいて「最終」形態を正確に予測することには多くの困難がある。
【００１０】
図３及び図４に示すように、フリーハンド、両手又は片手技法を用いる、メイクアップのための従来の塗布ステップのさらなる例示的な図が提供される。図３では、使用者の両手技法は、指が眉毛下皮膚９を直線形態になるように引っ張る（矢印を参照されたい）間、メイクアップフレア１５ａを適用する。図４では、使用者の両手技法は、片手技法と、使用者の頬領域におけるランダムな箇所に位置決めされた指（図示）とを使用しながら、下方眼瞼接触面１１に近接する目下皮膚１０にメイクアップブラシ１５ｂを適用する。図４では、上眼瞼溝１３が示されている。上眼瞼溝１３は、概して平行であり、明確に画定されて、上眼瞼及び目４と眉毛２との間の眉毛下皮膚９内に「シャドウ」効果を提供する。
【００１１】
全体として、当技術分野において、目に関する化粧料の正確且つ繰返し可能な塗布は、特に困難であり、フリーハンド又は片手方法を用いる満足のいく解決法は、提供されていないことが認識される。
【００１２】
図５は、多様な目及び瞼形状を示す代替的な眼瞼の上眼瞼溝のグラフィカルな図である。示すように、使用者の眼瞼−上方眉毛下皮膚９は、上眼瞼溝１３なし、先細りの上眼瞼溝、横方向フレア、平行な上眼瞼溝又はさらに複数の上眼瞼溝１３ありの形状があり得る。多様な顔面特徴があることが理解されるであろう。
【００１３】
図６では、この場合、内縁部４ａから外縁部４ｂまで延在する場合がある隠れた又は丸まった上眼瞼溝１３を提供する、伸長する皮膚のひだ（内眼角贅皮）を有するさらなる種類の眉毛下皮膚９が提供される。この種の眉毛下皮膚９は、上方蓋目領域９上に非弾力性の又はたるんだ皮膚がある人にも発生する可能性がある。
【００１４】
当業者は、手を使ってメイクアップを施す場合、左右に繰り返すことが特に困難であると認識するであろう。当業者は、使用者（例えば、図５又は図６の使用者）が、ファッションの好みの理由で、自らの眼の構造が元来上眼瞼溝１３を含まない（例えば、自然な上眼瞼溝を図４に示す）場合、視覚的に見える化粧による上眼瞼溝を人工的に挿入しようと試みる場合、左右の精度を正確に追求することがさらに困難であることをさらに認識するであろう。
【００１５】
さらに、化粧料の使用者は、物理的な装置を使用することにより、メイクアップを施す場合に繰返し精度の困難さに対処しようと試みたことが認識される。これは、使用者の眉毛の色を暗くする場合に最も一般的に使用される。それは、眉毛が、各使用者の下にある眉弓３構造の上で最も容易に位置付けされるためである。こうした化粧用眉毛塗布具の例は、特許文献１（Ｓｈｉｍｌｅｙら）及び特許文献２（Ｐｅｒｅｉｒａ）に示されている。それらの内容は、参照により本明細書に完全に援用される。
【先行技術文献】
【特許文献】
【００１６】
【特許文献１】米国特許出願公開第２０１６／０３６０８６１号明細書
【特許文献２】米国特許第８，０５１，８６０号明細書
【発明の概要】
【発明が解決しようとする課題】
【００１７】
したがって、上述した必要性の少なくとも１つに対処する、改善された目を対象とするメイクアップ塗布具構成及び方法が必要とされている。さらに、左右の精度を向上させ、眉毛下皮膚領域における使用者自身の構造のマイナスの影響を最小限にする、目を対象とする化粧料塗布方法を改善することも必要とされる。
【課題を解決するための手段】
【００１８】
それに応じて、ここでは、従来の技術において少なくとも１つの必要性があることが認識される。その結果、本発明は、塗布部材と、化粧料の塗布のための向上した精度及び左右繰返し性を提供する位置決め支持システムとを含む化粧料塗布デバイスを提供する。塗布部材は、任意選択的に、位置決め支持システムに対して調整可能且つ再配置可能であり、及び任意選択的に１つ又は複数の着色料部材、ガイド部材又は交換塗布部材とともにキット形態でさらに提供され得る。本発明の使用及び本発明の調整の方法が提供される。
【００１９】
本発明の１つの例示的な実施形態によれば、塗布部材に調整可能に取り付けられた長尺状位置決め支持システムを含む化粧用システムが提供される。長尺状位置決め支持システム及び塗布部材の少なくとも一方は、複数のチップ端部部材の１つを交換可能に受け入れる手段を含む。長尺状位置決めシステムは、塗布部材を適応的に取り付ける手段を含む。それにより、チップ端部部材は、化粧用システムの先端部材に対して調整可能に位置決めされる。
【００２０】
本発明の別の例示的な実施形態によれば、複数のチップ端部部材を有する塗布具部材が提供される。各チップ端部部材は、前記塗布具部材の長尺状ハンドル部分に対して角度的に調整可能である。
【００２１】
本発明の別の例示的な実施形態によれば、複数のチップ部材と、少なくとも１つの塗布具部材を有する位置決め支持システムと、支持面ブリッジ部材と、支持顎当て部材とを含む適応的キットアセンブリが提供される。
【００２２】
本発明の別の例示的な実施形態によれば、適応的化粧用システムは、塗布部材に調整可能に取り付けられた長尺状位置決め支持システムを含む。前記長尺状位置決め支持システム及び前記塗布部材の少なくとも一つは、複数のチップ端部部材の１つを交換可能に受け入れる手段を含む。前記長尺状位置決めシステムは、前記塗布部材を適応的に取り付ける手段を含む。それにより、前記チップ端部部材は、前記化粧用システムの先端部材に対して調整可能に位置決めされる。
【００２３】
本発明の別の例示的な実施形態によれば、適応的化粧用システムは、塗布部材に調整可能に取り付けられた長尺状位置決め支持システムを含む。前記長尺状位置決め支持システム及び前記塗布部材の少なくとも一つは、チップ端部部材を受け入れる手段を含む。前記長尺状位置決めシステムは、前記塗布部材を適応的に取り付ける手段を含む。それにより、前記チップ端部部材は、前記化粧用システムの先端部材に対して調整可能に位置決めされる。
【００２４】
本発明の上記及び他の態様、特徴及び利点は、添付図面と併せて読まれる以下の説明から明らかとなるであろう。添付図面において、同様の参照番号は、同じ要素を示す。
【図面の簡単な説明】
【００２５】
【図１】従来の詳細の特定の点を示す使用者の顔面構造の代表的な図である。
【図２】両手誘導技法及びフレア（又はフェルト）チップタイプ塗布具を採用するアイライナの従来の塗布のグラフィカルな図である。
【図３】フリーハンドの両手技法を使用するメイクアップのための従来の塗布ステップのグラフィカルな例示的な図である。
【図４】フリーハンドの片手技法を使用するメイクアップのための従来の塗布ステップのグラフィカルな例示的な図である。
【図５】当技術分野における多種多様を示す代替的な眼瞼の上眼瞼溝のグラフィカルな図である。示すように、使用者の眼瞼−上方眉毛下皮膚９は、上眼瞼溝１３なし、先細りの上眼瞼溝、横方向フレア、平行な上眼瞼溝又はさらに複数の上眼瞼溝１３ありの形状であり得る。
【図６】隠れた又は丸まった上眼瞼溝を提供する、伸長する皮膚のひだ（内眼角贅皮）を含むさらなる眼瞼構造のグラフィカルな図である。
【図７】本発明の例示的な実施形態による複数の代替的部材及び適応的特徴を含む実例となる化粧用システムを提供する。
【図８】本発明の例示的な実施形態による複数の代替的部材及び適応的特徴を含む実例となる化粧用システムを提供する。
【図９】使用状態にある代替的な適応的化粧用システムの１つのあり得る使用の実例となる正面斜視図を提供する。
【図１０】使用状態にある適応的化粧用システムの１つのあり得る代替的な使用の実例となる側面斜視図を提供する。
【図１１】本発明の例示的な実施形態による化粧用システムのキットアセンブリの実例となる例示的な図である。
【図１２】使用者及び調整のための本発明の例示的な実施形態の例示的な使用フローチャートである。
【図１３】代替的な化粧料塗布具システムの例示的な上面図である。
【図１４】部材が枢動している、図１３の塗布具のさらなる図である。
【図１５】枢動配置にある、図１３の塗布具のさらなる図である。
【図１６】側面図及び上面図からの畳まれた平坦配置で示される、図１３の化粧用システムのキット形態である。
【図１７】塗布具端部及びチップ端部がそれらのそれぞれの支持体に対して且つ互いに対して枢動及び回転することを示す、適応的使用手順にあるかのように連続した適応的位置決め及び枢動で示す、図１３の代替的な化粧料塗布具システムである。
【図１８】本発明の例示的な実施形態による適応的化粧用装置のための一連の使用イメージである。
【図１９】本発明の例示的な実施形態による適応的化粧用装置のための一連の使用イメージである。
【図２０】本発明の例示的な実施形態による適応的化粧用装置のための一連の使用イメージである。
【図２１】本発明の例示的な実施形態による適応的化粧用装置のための一連の使用イメージである。
【図２２】本発明の例示的な実施形態による適応的化粧用装置のための一連の使用イメージである。
【図２３】本発明の例示的な実施形態による適応的化粧用装置のための一連の使用イメージである。
【図２４Ａ】本発明の別の例示的な実施形態による、可動要素を備えた化粧料塗布具の斜視図である。
【図２４Ｂ】本発明の別の例示的な実施形態による、可動要素を備えた化粧料塗布具の背面図である。
【図２４Ｃ】本発明の別の例示的な実施形態による、可動要素を備えた化粧料塗布具の正面図である。
【図２５】図２４Ａ〜図２４Ｃの化粧料塗布具の、その主塗布具及び塗布具ヘッドの例示的な実施形態を示す上面図である。
【図２６】図２４Ａ〜図２４Ｃの化粧料塗布具の、その二次塗布具の例示的な実施形態を示す底面図である。
【図２７Ａ】図２４Ａ〜図２４Ｃの化粧料塗布具の、その塗布具間の関係を例示する側面図である。
【図２７Ｂ】図２４Ａ〜図２４Ｃの化粧料塗布具の、その可動要素がそれぞれの代替的な向きにおいてその本体から離れて枢動している、斜視側面図である。
【図２７Ｃ】図２４Ａ〜図２４Ｃの化粧料塗布具の、その可動要素がそれぞれの代替的な向きにおいてその本体から離れて枢動している、斜視側面図である。
【図２７Ｄ】図２４Ａ〜図２４Ｃの化粧料塗布具の、その可動要素がそれぞれの代替的な向きにおいてその本体から離れて枢動している、斜視側面図である。
【図２７Ｅ】図２４Ａ〜図２４Ｃの化粧料塗布具の、その可動要素がそれぞれの代替的な向きにおいてその本体から離れて枢動している、斜視側面図である。
【図２８】本発明の例示的な実施形態による可動要素を例示する斜視図である。
【図２９Ａ】本発明の例示的な実施形態による、図２４Ａ〜図２４Ｃの化粧料塗布具の、可動要素と化粧料塗布具との間の内部係合を示す底面斜視図である。
【図２９Ｂ】本発明の例示的な実施形態による、図２４Ａ〜図２４Ｃの化粧料塗布具の、可動要素と化粧料塗布具との間の内部係合を示す上面斜視図である。
【図２９Ｃ】本発明の例示的な実施形態による、図２４Ａ〜図２４Ｃの化粧料塗布具の、可動要素と化粧料塗布具との間の内部係合を示す断面図である。
【図３０Ａ】本発明の例示的な実施形態による、図２４Ａ〜図２４Ｃの化粧料塗布具の、その可動要素のそれぞれの位置を例示する正面斜視図である。
【図３０Ｂ】本発明の例示的な実施形態による、図２４Ａ〜図２４Ｃの化粧料塗布具の、その可動要素のそれぞれの位置を例示する正面斜視図である。
【図３１】本発明の例示的な実施形態による可動部材の着脱可能継手を例示する図である。
【図３２Ａ】本発明の例示的な実施形態による可動部材のヒンジに関連する詳細を示す図である。
【図３２Ｂ】本発明の例示的な実施形態による可動部材のヒンジに関連する詳細を示す図である。
【図３３Ａ】本発明の例示的な実施形態による着脱可能且つ交換可能な主塗布具を例示する図である。
【図３３Ｂ】本発明の例示的な実施形態による着脱可能且つ交換可能な主塗布具を例示する図である。
【発明を実施するための形態】
【００２６】
ここで、本発明の実施形態を詳細に参照する。可能な場合には常に、図面及び説明において同じ又は同様の参照番号を使用して、同じ又は同様の部分又はステップを指す。図面は、簡易化された形態であり、正確な尺度ではない。「結合する」、「固定する」又は「取り付ける」及び同様の用語は、必ずしも直接の且つ直の接続を指すとは限らず、中間の要素又はデバイスを介する接続も含む。単に便宜上及び明確にするために、方向を指す用語（上／下等）又は動きに関する用語（前方／後方、左／右等）は、図面に関して使用するものとする。これらの及び同様の方向を指す用語は、決して範囲を限定するように解釈されるべきではない。当業者であれば、本発明の範囲から逸脱することなく、他の実施形態が利用され得ることと、詳細な説明は、限定する意味で解釈されるべきではないことと、要素は、異なるように位置決めされ得るか、又は他の方法で、それに要求される書面記載の必要性なく、添付の特許請求の範囲のように示され得ることも理解されるであろう。
【００２７】
ここで、図７を参照すると、考察するように、顎先の突起７位置及び頬骨８位置に対する、眉毛下皮膚９と、目下皮膚１０と、それぞれの上方眼瞼接触面１２及び下方眼瞼接触面１１とを有する目４に対して使用される化粧用システム３０である。
【００２８】
化粧用システム３０は、考察するように、好ましい長尺状の図で示す適応的位置決め支持システム４０と、調整可能且つ取外し可能にそれに取り付けられた適応的塗布部材５０又は塗布部材５０とを含む。
【００２９】
位置決め支持システム４０は、頂部支持端部４１Ａ及び底部支持端部４１Ｂを備えたシャフト部分４１を有する。それぞれの且つ代替的な各頂部支持端部４１Ａ及び底部支持端部１４Ｂは、それらのいずれの端部にも代替的な塗布具チップ端部６０を解除可能に受け入れる適応的システムを含む。
【００３０】
さらに、塗布具又は塗布部材５０は、少なくとも１つのアダプタ端部５１を有する。アダプタ端部５１は、その端部に（又は２つの端部がある場合にはそれらのいずれの端部にも）、代替的な塗布具チップ端部６０を解除可能に受け入れる適応的システムを含む。
【００３１】
図示するように、適応的接続システム７０は、位置決め支持システム４０を塗布具又は塗布部材５０と動作可能に接続する。図７において、接続システム７０は、内部舌状部材（図示せず）を含む単一部材７０Ｃである。内部舌状部材は、突出する外部舌状部材５２と解除可能に係合する。それにより、塗布具５０の位置は、位置決め支持システム４０に対して調整可能である。接続システム７０は、（図示するような）摩擦舌状部を備えた機械的連結機構を含むことができるか、又は塗布具５０に位置決め支持システム４０を調整可能又は固定可能に取り付ける他の任意のタイプの摩擦抵抗、圧縮クラップ、ねじ式固定具、磁気構成又は他の手段を使用することができる。例えば、図８に示すように、接続システム７０に頂部接続部材７０Ｂ及び底部接続部材７０Ａが設けられる。これらの各々は、位置決め支持システム４０に取り付けられるとともに摩擦開口部を有する。それにより、塗布部材５０のシャフト部分５３が摺動可能に係合され且つ再配置可能である。
【００３２】
図７からさらに理解されるように、接続システム７０により、塗布具又は塗布部材５０は、位置決め支持システム４０のシャフト部分４１に対して回転及び枢動することができる（５１Ａ及び矢印、例えばＥを参照されたい）。
【００３３】
その結果、塗布部材５０は、使用者に対する回転等、使用者の便宜上、位置決め支持システム４０の長さに沿った任意の場所で摺動され得ることが理解されるであろう。さらに、（図７の右側部分に示すように）（単一ピボット構成９０にある）接続システム７０は、さらに、塗布部材５０が全体としてシャフト部分４１構成に対して枢動する（矢印を参照されたい）ことを可能にし得る。その結果、当業者であれば、塗布具５０がピボット部分に対して２〜５移動度（ピボット部分に沿った摺動、ピボット部分に対する回転、ピボット部分に対する傾斜）を有することが理解されるであろう。
【００３４】
当業者に理解されるように、塗布具チップ端部６０は、化粧料組成物（当業者に理解されるように、頬紅、トナー、塗料又は他の任意の形態の染料）を塗布する適応的な複数の手段を含む。
【００３５】
塗布具チップ端部は、本明細書における図面に対する限定なしに、既知の化粧用チップ端部の範囲及び趣旨内に調整することができる化粧料塗布に対して、細い、尖った、平坦な、丸い、曲線状の、プラッシュ／軟質の、硬質の／堅い又は他の任意のタイプのチップ端部を有することができる、任意の形態のブラシ、パッド、塗布具、フェルト端部、チップ又は他の任意の形状若しくは形態であり得る。
【００３６】
さらに理解されるように、塗布具チップ端部６０は、それぞれ塗布具端部５１、位置決め支持システム４０の各端部に対する適応的端部に解除可能に取り付けられるか、又は本発明の使用に好適な他の形態で取り付けられる、適応的接続チップ端部を含む。
【００３７】
同様に理解されるように、本明細書における適応的構成の１つは、位置決め支持部材４０に取外し可能に取り付けることができる位置決め部材６１Ａ、６１Ｂの使用である。位置決め部材６１Ａは、チップ端部６０も受け入れる任意の構成に嵌まることができる解除可能に取り付けられた構造を含む。位置決め部材６１Ｂは、位置決め支持システム４０のシャフト部分４１に沿った任意の位置で取り付けることができる可撓性クランプ部材を提供する。いずれの位置決め部材６１Ａ、６１Ｂでも示すように、それらは、位置決め補助具６２Ａ、６２Ｂをさらに取外し可能に取り付けるために使用される。考察するように、位置決め補助具６２Ａは、長尺状シャフト部分６２Ａ’と、図９、図１０に示すように頬骨８、８又は使用者の顔面の他の任意の部分に近接して皮膚と接触する平滑端部６２’’とを有するブリッジの形態である。位置決め補助具６１Ｂは、使用者の顔面の顎先の突起７の位置に対して確実に位置決めするような形状である顎当ての形態である。
【００３８】
示すように、塗布具部材５０の塗布具端部５１は、交換可能なチップ端部６０を含む。さらに、塗布具端部５１は、角度調整システム８０を含む。角度調整システム８０は、それぞれのチップ端部６０の接触側に沿った、使用状態で使用者の指によって塗布具端部５１の角度に対して調整される機能を含む。角度調整システム８０は、角度調整の要件を達成するのに十分な任意の形態であり得るが、可撓性エラストマー材料、ピボット軸トグル構成、ばね、ピボットボス又は他の任意の形態の構成の形態であり得る。
【００３９】
この構成の結果として、使用例において、使用者は、眉毛下皮膚領域９に沿って高度な正確さで及び顔面の両側において繰り返し、（例えば、全体的又は部分的に外側に（正中線から離れる方向に）又は内側に（正中線に向かう方向に）化粧料で１本又は複数本の上眼瞼溝ラインを引くために）塗布具端部５１の端部の上に位置決めするために細いチップ端部６０を選択することができる。
【００４０】
さらに、この構成の結果として、使用者は、位置決め支持システム４０の頂部支持端部４１Ａに取り付けるために異なるチップ端部（例えば、幅の広い塗布具ブラシを事前選択している場合がある。使用者は（自らの手の位置を変えることなく）指を使用して塗布部材５０を離れるように揺動させ、チップ端部６０を使用して、向上した精度及び使用者の快適さの範囲内で眉毛下皮膚領域９の上にアイライナ又は他のマークを配置することができる。本発明３０を使用して、上眼瞼溝ライン又はアイライナを任意の順序で（限定なしに）塗布できることが理解されるであろう。
【００４１】
さらに、当業者であれば、本発明の範囲及び趣旨から逸脱することなく、使用者が、下方眼瞼接触面１１、上方眼瞼接触面１２に近接して又は目４に近接する他の領域に細い化粧料を位置決めするように、塗布具部材５０、したがって塗布具端部５１を下向きにシャフト部分４１に沿って片手又は両手で調整できることが理解されるであろう。
【００４２】
ここで、図８をさらに参照すると、簡略化した化粧料塗布具が例示形態で提供されており、位置決め補助具６２Ａ又は６２Ｂの一方を、頬骨８又は顎先の突起７に近接する位置決め支持システム４０の部分に適応的に取り付けることができ、それにより適応並びに上眼瞼溝ライン１３に近接する（又は人工的な上眼瞼溝ライン１３を引くための）化粧料、アイライナ、頬紅の毎日の繰返しの且つ確実な位置決めのために、又は他の化粧料塗布用途に対して、繰返し可能な骨組みの構造において化粧用システムを使用者が確実に位置決めすることが可能になることを図示している。
【００４３】
本発明の範囲は、位置決め支持体及び塗布部材を有する簡略化した化粧用システムを明確に含むことが理解されるであろう。本発明の１つの代替的な態様において、位置決め支持システム及び塗布具部材は、少なくとも目に近接する使用者の顔面に化粧料を塗布する能力を含む単一の適応的構成になるように、相互に形成又は併合できることがさらに理解されるであろう。
【００４４】
例示的な図９及び図１０に示すように、正面及び側面の適応的且つ図示的な構成が提供されている。ここで、化粧用システム３０は、顔面位置に対する位置決め補助具６２、６２Ａ、６２Ｂの位置決めあり又はなしで使用することができる。例えば、使用者は、シャフト部分４１を把持し、自らの手を頬骨位置８に又は目尻４ｂによって位置決めし、皮膚に化粧料を左側から右側に均一に繰返し塗布することができる。
【００４５】
さらに理解されるように、本発明の範囲及び趣旨から逸脱することなく、チップ端部６０は、使用者が化粧料を塗布し（第１ステップ）、化粧料を好都合に混合する（第２ステップ）ことができるようにする、なめらかにするか又は混合するブラシ、パッド又はフォームを含むことができる。
【００４６】
図１１をさらに参照すると、化粧用システム３０のいくつかの部分を任意選択的に含むことができる例示的な外側容器１０１がキット１００に設けられている。さらに、図示するように、キット１００には、追加の化粧料１０２（頬紅、色合い等）を任意の好適な形態、個々の容器内若しくは接合形態又は他の任意の好適な形態において設けることができる。キット１００は、結合された形態で一般消費者に提供することができる。当業者であれば、すべて本発明の範囲及び趣旨内で異なる構成要素及び異なる価値を有するキットを提供するように、キット１００は、本発明において開示する特徴及び物品の幾分かを含むように適応的に構成され得ることがさらに理解されるであろう。
【００４７】
ここで、図１２をさらに参照すると、化粧用システム３０を使用する任意選択的な且つ適応的な方法２００が考察される。第１ステップ２０１では、使用者は、所望の化粧用システム構成を選択し、ステップ２０２において、本明細書で考察したように、位置決め支持システム４０又は塗布部材５０を受け入れて取り付けるために所望のチップ端部６０、６１Ａ、６１Ｂ、６２を選択する。関連するステップ２０３において、代替的な選択を行うことができる。次に、ステップ２０４において、使用者は、目の位置における最初に決定された化粧用途（例えば、アイライナ、頬紅、上眼瞼溝塗布等）に塗布部材及びチップ端部を調整し、次のステップ２０５において、上述した顔面位置に対する所望の使用位置に対して化粧用システム３０を位置決めする。次のステップ２０６において、使用者は、化粧料を塗布する（例えば、目用化粧料を塗布し、次いで位置を変えて、異なるチップ端部を使用して上眼瞼溝ライン１３を外側（又は内側）に形成する）。使用者によって望まれる場合には、同じ側（左又は右）に対してさらなる調整を実施することができる。次いで、使用者は、終了ステップ２０７に達するまで、残りの使用者側で化粧用システムを使用することができる。したがって、収納又は後の使用のために、キット１００内の容器１０１に化粧用システム３０を戻すことができる。
【００４８】
ここで、図１３〜図１７をさらに参照すると、ここで、代替的な適応的化粧用システム１３０に位置決め支持体１４０が設けられている。位置決め支持体１４０は、位置決め支持体１４０の第１端部における第１チップ端部１６０Ａ（アーモンドブラシで示す）と、その反対側における（ブレンダブラシとして示す）第２チップ端部１６０Ｂとに対して、（小さい菱形ブラシの図示する形態での）塗布具端部１５１を有する塗布具部材１５０を支持する。
【００４９】
図１３に示すように、塗布具部材１５０は、その長さに沿って位置決め支持体１４０に対して（位置決め支持体１４０への塗布具部材１５０の結合部において（結合部は、塗布具部材１５０の枢動の支点も形成するように枢動可能である））枢動し、さらにチップ端部１６０Ａに対するさまざまな位置で塗布具端部１５１を位置決めするように、支持体１４０の長さに沿って相対的に摺動し得ることが理解されるであろう。さらに、１つの代替的な実施形態では、位置決め支持体１４０の一部は、長さが入れ子式になっている（例えば、それ自体の長さに沿って伸長する（図１５））ことができる。さらに、図１４に例示するように、（図１５）塗布具チップ端部１５１が塗布具１５０の支持シャフトに対して枢動及び旋回することができるように、塗布具端部１５１は、塗布具部材１５０に沿った取付位置に対して枢動可能である。最後に、ブレンダブラシチップ端部１６０Ｂ、塗布具端部１５１及びチップ端部１６０Ａは、限定なしに、本明細書において考察したような任意の種類、形状又は部類の交換チップ端部システム、例えばブラシ、フォームパッド並びに異なる形状のフォーム部材及び異なる形状のブラシの使用を任意選択的に含むことが理解されるであろう。
【００５０】
さらに、図１６に示すように、化粧用システム１３０は、容器を使用するキット構成１００の形態でコンパクトに収納することができる。
【００５１】
図１７は、左から右への流れプロセスにおける化粧用システム１３０の枢動運動を示す図を含む。ここで、図１８〜図２３を参照してさらに詳細に後述するように、ピボット位置に対して、有用な弧を通してチップ端部を枢動させ、移動させ、曲げることができる。
【００５２】
図１７に示すように、化粧用装置（システム）１３０を使用して、チップ端部１６０Ａ（例えば、アーモンドブラシ）の縁に沿うことができる弧状経路に沿って塗布具端部１５１を枢動させることにより、化粧料を塗布することができる。本発明の例示的な実施形態によれば、図１７に示すように、チップ端部１６０Ａの上縁に沿った一方の側から他方の側まで且つその逆に塗布具端部１５１を枢動させることができるように、化粧用装置１３０に対し、枢動可能継手１５５により、塗布具端部１５１を有する塗布具部材１５０を取り付けることができる。それにより、枢動可能継手１５５は、塗布具部材１５０の枢動のための支点も形成する。したがって、例えば、本来の眼瞼の上眼瞼溝１３に一致するように又はそれを模倣するように化粧料を引くために、チップ端部１６０Ａの縁によって画定される弧状経路に沿って輪郭を描くことにより、化粧料を正確に且つ繰り返し塗布することができる。本発明の例示的な実施形態によれば、異なる形状、サイズ等を有する要素（例えば、異なるサイズのアーモンドブラシ又は異なる形状のブラシ）を使用して異なる化粧料塗布を描くことができるように、チップ端部１６０Ａは、交換可能であり得る。例として、図５に例示するように、異なる目のサイズ及び形状を有する使用者に適応するように、異なるサイズ及び形状のアーモンドブラシを提供することができる。それに対応して、図１７に示すように、塗布具端部１５１のための枢動可能継手１５５は、異なる使用に適応するように位置決め支持体１４０の長さに沿って摺動可能であり得る。
【００５３】
図１８は、本発明の例示的な実施形態による塗布具端部１５１に対して図１７に示す枢動運動により、上眼瞼溝ライン１３を作成／補足するために塗布される、眼瞼領域９に対する化粧料を例示する。図１８に示すように、チップ端部１６０Ａ（例えば、アーモンドブラシ）を、塗布具１３０のための固定アンカとしての役割を果たすように使用者の眼瞼の上に配置することができる。したがって、チップ端部１６０Ａの縁に沿った塗布具端部１５１の枢動運動により、本来の又は人工的な上眼瞼溝ライン１３に対応する実質的に弧状の経路に沿って使用者の眼瞼領域９に化粧料が塗布される。
【００５４】
図１９は、本発明の例示的な実施形態による、図１４に示すように塗布具部材１５０が位置決め支持体１４０から離れる方向に枢動した状態で、チップ端部１６０Ａを使用して使用者の眼瞼領域９に塗布された化粧料を示す。特に、チップ端部１６０Ａを使用して、睫毛に近接する領域に沿って化粧料を塗布することができる。図１９は、異なる比及び形状の領域に化粧料が塗布されている２つの例を示す。
【００５５】
図２０は、本発明の例示的な実施形態による、使用者の他方の目に対する、図１８に示す枢動運動による化粧料塗布と、図１９に示すチップ端部１６０Ａによる化粧料塗布との繰返しを例示する。
【００５６】
図２１は、本発明の例示的な実施形態による、図１９に示す化粧料を塗布するチップ端部１６０Ａの使用を例示する。図２１に示すように、塗布具部材１５０は、それ（及び塗布具端部１５１）がチップ端部１６０Ａを使用する化粧料塗布を妨げないように、位置決め支持体１４０から離れる方向に枢動した状態で、チップ端部１６０Ａを使用して、睫毛に近接する領域に沿って化粧料を塗布することができる。
【００５７】
図２２は、本発明の例示的な実施形態による、塗布具部材１５０が位置決め支持体１４０から離れる方向に枢動した状態で、塗布具端部１５１が下眼瞼の上の睫毛に近接して化粧料を塗布するように使用されている状態を例示する。
【００５８】
図２３は、本発明の例示的な実施形態による、第２チップ端部１６０Ｂがすでに塗布された化粧料を混合するブレンダとして使用されている状態を例示する。図２３に示すように、例えば図１５及び図１６に示すように、第２チップ端部１６０Ｂが使用されているとき、収納形態で位置決め支持体１４０に近接して塗布具部材１５０を畳むことができる。
【００５９】
図２４Ａ〜図２４Ｃは、本発明の別の例示的な実施形態による、可動要素（又は「塗布具若しくは塗布部材」）２５０とともに示す化粧料塗布具２３０のそれぞれ斜視図、背面図及び正面図である。図２４Ａ〜図２４Ｃに示すように、化粧料塗布具２３０は、例えば、図１７〜図２３に例示するように、使用者が上述した手順に従って化粧料の自己塗布において保持する長尺状本体２４０を含むことができる。図２４Ａ及び図２４Ｃに示すように、本体２４０は、それぞれの側面にそれぞれ平坦面２７０ａ及び２７０ｂの対を含むことができる。図２４Ａ及び図２４Ｂに例示するように、平坦面２７０ａ及び２７０ｂに近接して本体２４０の背面部分を横切って、可動要素２５０の取付アーム２５５を収容する長尺状開口部２８０を配置することができる。さらに詳細に後述するように、長尺状開口部２８０を通して、本体２４０の内部特徴部に可動要素２５０の取付アーム２５５を取り付けることができる。図２４Ａ及び図２４Ｂに示すように、長尺状開口部２８０は、可動要素２５０の支持を提供するとともにその移動範囲を画定するために、本体２４０の背面部分を横切って延在することができる。特に、例えば図１７及び図１８に例示するように、化粧料塗布のために主塗布具２６０Ａに関連して塗布具ヘッド２５１を弧状に左右に移動させることができるように、本体２４０に関して左右に長尺状開口部２８０に沿って可動要素２５０を移動させることができる。本発明の例示的な実施形態によれば、可動要素２５０は、支持要素２５７を組み込むことができる。支持要素２５７は、可動要素２５０が左右に移動する際、本体２４０の背面部分の外面に沿って接触及び摺動するように、パッドに形成されたポリマー、織物、フェルト、繊維質又は他の任意の軟質材料等を含むことができる。使用中に可動要素２５０を一定の力で安定して移動させることができるように（これは、化粧料塗布に対して有利である）、支持要素２５７は、所望の量の摩擦を提供することができる。これに対応して、可動要素２５０は、パターン化面を備えたタブ要素２５８をさらに組み込むことができる。タブ要素２５８は、使用中に可動要素２５０を制御し移動させるための相対的に拡大した面を使用者の指又は親指に提供する。例えば、上述したように、使用者は、顔面の両側において眉毛下皮膚領域９に沿って全体的又は部分的に繰り返し且つ正確に１本又は複数の上眼瞼溝ラインを外側に（正中線から離れる方向に）又は内側に（正中線に向かって）化粧料を用いて引くために、塗布具ヘッド２５１を使用することができる。この上眼瞼溝ライン塗布のために、化粧料塗布具２３０の本体２４０を回転させる必要なしに塗布するために塗布具ヘッド２５１を使用することができるように、タブ要素２５８の上に指を置いた状態で可動要素２５０を左右に移動させることができる。したがって、安定性及び精度を向上させて、上眼瞼溝ライン塗布を実施することができる。
【００６０】
上記記載に対応して、本体２４０を有する化粧料塗布具２３０は、小さい菱形の、卵形の、平坦の又は尖ったブラシ、スポンジ等であり得る塗布具ヘッド２５１を含む。本体（又は「位置決め支持体」）２４０は、第１端部に第１チップ端部主塗布具２６０Ａを含み、その反対側に第２チップ端部二次塗布具２６０Ｂを含む。本発明の例示的な実施形態によれば、第１チップ端部主塗布具２６０Ａは、化粧料を塗布するブラシ、スポンジ等を組み込むことができる。
【００６１】
図２５は、主塗布具２６０Ａ及び塗布具ヘッド２５１の例示的な実施形態を示す化粧料塗布具２３０の上面図である。図２５に示すように、塗布具２５１及び２６０Ａは、およそ対応する卵形形状を有するブラシ、スポンジ等であり得る。主塗布具２６０Ａは、（例えば、図２１に示すように）例えば領域９に化粧料を塗布するために相対的に広い被覆率を有する。塗布具ヘッド２５１は、（例えば、図１８〜図２０に示すように）例えば領域９に１本又は複数本の上眼瞼溝ラインを引くために、相対的に小さく且つ正確な構成を有することができる。当業者であれば理解することができるように、塗布具２５１及び２６０Ａのサイズ、形状、材料、構成、向き等は、本発明の範囲及び趣旨から逸脱することなく調整及び変更することができる。
【００６２】
図２６は、上記記載に対応してブレンダブラシ等であり得る、二次塗布具２６０Ｂの例示的な実施形態を示す化粧料塗布具２３０の底面図である。図２６に示すように、塗布具２６０Ｂは、使用者の顔面にすでに塗布されている化粧料を混合するための円形のブラシ、スポンジ等であり得る。
【００６３】
本発明の例示的な実施形態によれば、可動要素２５０は、使用中の左右の旋回運動に加えて、可動要素２５０を本体２４０から離れる方向に枢動させるためにヒンジ要素２９０及び対応するシャフト２９５をさらに組み込むことができる。図２７Ａは、化粧料塗布具２３０の側面図であり、その塗布具間の関係を例示している。図２７Ｂ〜図２７Ｅは、可動要素２５０がそれぞれの代替的な向きにおいて本体２４０から離れる方向に枢動している、図２４Ａ〜図２６に示す化粧料塗布具２３０の斜視図及び側面図である。
【００６４】
図２７Ａに示すように、化粧料塗布（例えば、上述し且つ図１７及び図１８に例示した左右の化粧料塗布）のための可動要素２５０の第１位置において、塗布具ヘッド２５１の化粧料塗布面に近い平面（又はそこから延在する直交軸）が、塗布具２６０Ａの化粧料塗布面に近い平面（又はそこから延在する直交軸）と約−３０度〜＋３０度の角度を形成することができるように、塗布具ヘッド２５１を塗布具２６０Ａと位置合わせすることができる。好ましくは、塗布具ヘッド２５１の化粧料塗布面に近い平面（又はそこから延在する直交軸）が、塗布具２６０Ａの化粧料塗布面に近い平面（又はそこから延在する直交軸）と約−１０度〜＋１０度の角度を形成することができるか、又はより好ましくは、図１７及び図１８に示すように、上眼瞼溝ラインを模倣且つ／又は補足するように化粧料を塗布するために、平面／軸は、互いに実質的に平行であり得る。
【００６５】
図２７Ｂ及び図２７Ｃに示すように、使用者は、ヒンジ要素２９０を中心に且つ本体２４０から離れる方向に可動要素２５０を枢動させるように、シャフト２９５を押下することができる。この向きで、使用者は、例えば、図２１に例示するように、上眼瞼に化粧料を塗布するために、塗布具ヘッド２５１からのいかなる妨げもなしに、主塗布具２６０Ａを使用して化粧料を塗布することができる。図２７Ｃに例示するように、塗布具ヘッド２５１の化粧料塗布面に近い平面（又はそこから延在する直交軸）は、塗布具２６０Ａの化粧料塗布面に近い平面（又はそこから延在する直交軸）と約２０〜９０度の角度を形成することができる。
【００６６】
図２７Ｄ及び図２７Ｅに示すように、可動要素２５０は、着脱可能継手２９７をさらに含み得る。これも、塗布具ヘッド２５１を主塗布具２６０Ａから離れる方向に向けるように回転可能である。この向きで、使用者は、例えば、図２２に例示するように、下眼瞼に化粧料を塗布するために、主塗布具２６０Ａからのいかなる妨げもなしに、塗布具ヘッド２５１を使用して化粧料を塗布することができる。図２７Ｅに例示するように、塗布具ヘッド２５１の化粧料塗布面に近い平面（又はそこから延在する直交軸）は、塗布具２６０Ａの化粧料塗布面に近い平面（又はそこから延在する直交軸）と約９０度、好ましくは約９０度〜約１８０度の角度を形成することができる。
【００６７】
本発明の例示的な実施形態によれば、さらに詳細に後述するように、継手２９７は、化粧料塗布具２３０から塗布具ヘッド２５１を完全に分離することを可能にすることができる。したがって、選択肢として、使用者は、塗布具ヘッド２５１を化粧料塗布具２３０に取り付けることなく、塗布具ヘッド２５１を使用して化粧料を塗布することができる。
【００６８】
ここで、本発明の例示的な実施形態による可動要素２５０の機械的特徴について、図２８〜図３３Ｂを参照してさらに詳細に説明する。
【００６９】
図２８は、本発明の例示的な実施形態による可動要素２５０を例示する斜視図である。特に、図２８は、化粧料塗布具２３０と統合されていない可動要素２５０を示す。図２８に示すように、可動要素２５０の取付アーム２５５は、実質的に円筒状の（支点）要素３０５を１つの端部に含み得る。この円筒状要素３０５は、可動要素２５０をその左右移動のために枢動させるアンカ及び支点を可動要素２５０に提供するために、本体２４０の内部構造における対応する要素と係合し、それにより可動要素２５０に対する化粧料塗布具２３０の本体２４０への枢動可能結合を形成する。本発明の例示的な実施形態によれば、タブ要素２５８が支点要素３０５と実質的に位置合わせされ、タブ要素２５８に対して使用者が加える移動力により、可動要素２５０を安定して枢動させることができる。当業者であれば、本発明の範囲から逸脱することなく、安定した枢動運動で可動要素２５０を枢動させるために、要素３０５の代わりに他の形状、向き及び構成の要素を使用できることを理解することができる。
【００７０】
図２９Ａ及び図２９Ｂは、本発明の例示的な実施形態による、可動要素２５０と化粧料塗布具２３０との間の内部係合を示す、化粧料塗布具２３０のそれぞれ底面斜視図及び上面斜視図である。図２９Ａ及び図２９Ｂに示すように、化粧料塗布具２３０の本体２４０は、互いから分解することができる２つの部分２４２ａ及び２４２ｂを含むことができる。本発明の例示的な実施形態によれば、部分２４２ａ及び２４２ｂのそれぞれの長さは、相対的な長さで１：１の比例関係〜約３：１の関係又は好ましくは約２：１の関係を有することができる。
【００７１】
図２９Ａは、可動要素２５０の取付アーム２５５及び円筒状要素３０５を例示するために本体２４０の底部２４２ａが透明で示されている、化粧料塗布具２３０の底面斜視図である。上記記載に対応して、可動要素２５０の取付アーム２５５は、本体２４０内で長尺状開口部２８０を通して延在することができる。円筒状要素３０５は、本体２４０内の反対側の近くに固定されている。図２９Ａに示すように、本体２４０の部分２４２ｂは、本体２４０を組み立てる際に係合するために部分２４２ａにおける対応する突出部３１５（図２９Ｂに示す）を受け入れる１つ又は複数の開口部３１０を含むことができる。さらに、部分２４２ｂは、円筒状要素３０５と回転可能に係合するために、円筒状要素３０５と同様の円周を有する実質的に円形の開口部３２０ａ（図２９Ｃに示す）を含むことができる。本発明の例示的な実施形態によれば、可動要素２５０の回転可能なアンカを提供する際に摩擦、摩損又は引裂きを低減させるように、円筒状要素３０５と円形開口部３１５との間に、ポリマー材料等、湿潤及び／又は弾性材料から作製されたコーティング、スリーブ、カバー、リング等を配置することができる。
【００７２】
図２９Ｂは、可動要素２５０の取付アーム２５５及び円筒状要素３０５を例示するために本体２４０の上部２４２ｂが透明で示されている、化粧料塗布具２３０の上面斜視図である。上記記載に対応して、可動要素２５０の取付アーム２５５は、本体２４０内で長尺状開口部２８０を通して延在することができる。円筒状要素３０５は、本体２４０内の反対側の近くに固定されている。図２９Ｂに示すように、本体２４０の部分２４２ａは、本体２４０を組み立てる際に係合するために部分２４２ｂにおける対応する開口部３１０（図２９Ａに示す）内に挿入する１つ又は複数の突出部３１５を含むことができる。さらに、部分２４２ａは、円筒状要素３０５と回転可能に係合するために円筒状要素３０５と同様の円周を有する実質的に円形の開口部３２０ｂ（図２９Ｃに示す）を含むことができる。本発明の例示的な実施形態によれば、可動要素２５０の回転可能なアンカを提供する際に摩擦、摩損又は引裂きを低減させるように、円筒状要素３０５と円形開口部３１５ｂとの間に、ポリマー材料等、湿潤及び／又は弾性材料から作製されたコーティング、スリーブ、カバー、リング等を配置することができる。
【００７３】
図２９Ｃは、本体２４０への可動要素２５０の内部係合を例示する化粧料塗布具２３０の断面図である。図２９Ｃに示すように、部分２４２ｂ及び２４２ａの開口部３１５ａ及び３１５ｂは、本体２４０が組み立てられるとき、円筒状要素３０５と両面係合を提供することができ、それにより可動要素２５０に対して確実な回転可能なアンカ及び支点を提供する。開口部３１５ａ及び３１５ｂのそれぞれの円周（したがって円筒状要素３０５の２つの面）は、実質的に同じであり得るか又は異なり得る。本発明の例示的な実施形態によれば、円筒状要素３０５の上部（したがって開口部３１５ａ）は、円筒状要素３０５の下部（したがって開口部３１５ｂ）より大きい円周を有することができる。
【００７４】
図３０Ａ及び図３０Ｂは、本発明の例示的な実施形態による、可動要素２５０のそれぞれの位置を例示する化粧料塗布具２３０の正面斜視図である。上述したように、例えばタブ要素２５８に力を加えることにより、化粧料塗布具２３０の本体２４０の長尺状開口部２８０に沿って左右に可動要素２５０を移動させることができる。図３０Ａは、このように一方の側に移動するときの可動要素２５０の位置を示す。それに対応して、図３０Ｂは、図３０Ａに対応する側方位置４５０ｂ及び対向する側方位置４５０ｃとともに、図２４Ａ〜図２７Ｂに例示するデフォルト位置に対応する中心位置４５０ａを例示する。したがって、例えば図１７〜図２０に例示するように、化粧料を正確に且つ繰り返し塗布するために、平滑に且つ安定して可動要素２５０を部分４５０ｂ及び４５０ｃ間で前後に移動させることができる。例えば、主塗布具２６０Ａは、塗布具２３０のための固定アンカとしての役割を果たすように使用者の眼瞼の上に配置することができる。したがって、本来の又は人工的な上眼瞼溝ライン１３に対応する実質的に弧状の経路に沿って使用者の眼瞼領域９に化粧料を塗布するために、可動要素２５０を位置４５０ｂから位置４５０ｃへ且つ／又はその逆に実質的に弧状の経路に沿って移動させることができる。有利には、使用者が、過度の使用者専門技術を必要とすることなく、（例えば、人工的な上眼瞼溝ラインを作成するために且つ／又は本来の若しくは人工的な上眼瞼溝ラインを補足するために）確実に所望の経路に沿って化粧料を塗布することができるように、塗布具２３０は、塗布具２３０の画定された経路に沿った化粧料の固定された塗布を可能にする。換言すれば、図２７Ａ及び図２７Ｃに示す塗布具ヘッド２５１の位置間の所望のピボット高さにおいて、可動要素２５０を位置４５０ｂから４５０ｃまで且つ／又はその逆に移動させることにより、正確に且つ繰り返し化粧料を塗布することができる。
【００７５】
本発明の例示的な実施形態によれば、位置４５０ｂ及び４５０ｃ間の移動の範囲は、塗布具ヘッド２５１の化粧料塗布面に近い平面（又はそこから延在する直交軸）に対して最大約９０度（約９０度を含む）（好ましくは約２５度〜約４０度）の弧にわたることができる。例えば、眼瞼領域９等、眼瞼の主要な位置に主塗布具２６０Ａを配置することができる。位置４５０ｂ及び４５０ｃ間で可動要素２５０を前後に移動させることができる。塗布具ヘッド２５１は、いわゆる「スモーキーアイ」効果をもたらすこととともに、本来の上眼瞼溝１３に対応するか又はそれを模倣する眼瞼の上眼瞼溝を形成するように化粧料を塗布することができる。有利には、可動要素２５０の安定した且つ繰返し可能な移動により、使用者に、過度の専門技術なしにこのように化粧料を塗布するより好都合なプロセスが提供される。
【００７６】
化粧料塗布２３０は、化粧料塗布に対して十分な強度及び剛性を有する熱可塑性材料若しくはその複合材又は任意の材料（例えば、さまざまな種類の金属、合金等）で作製することができる。
【００７７】
当業者であれば、継手２９７の代わりに、可動要素２５０を形成する際に化粧料塗布具２３０に対して塗布具ヘッド２５１を取り付け且つ取り外すための代替的な手段を使用できることがさらに理解されるであろう。例えば、継手２９７は、ねじ込み式且つ回転式継手のためのねじ山を含むことができる。
【００７８】
図３１は、本発明の例示的な実施形態による可動部材２５０の着脱可能な継手２９７を例示する図である。図３１において、ヒンジ２９０及び継手２９７へのそれぞれの結合におけるその内部構成を例示するために、シャフト２９５が透明で示されている。図３１に示すように、塗布具ヘッド２５１に結合されるシャフト５０５を塗布具ヘッド２５１に取り付けるための挿入要素を収容するための、前端部に向かう（塗布具ヘッド２５１に向かう）開口部とシャフト２９５を一体化することができる。本発明の例示的な実施形態によれば、シャフト５０５の挿入要素は、その挿入要素の残りの部分より大きい直径を有する隆起部分４９７を含むことができる。これに対応して、シャフト２９５の前端開口部は、シャフト２９５に結合されたときにシャフト５０５を適所に保持するために、隆起部分４９７を受け入れるチャネルを含むことができる。図３１にさらに示すように、例えば図２７Ａ及び図２７Ｂに示すように、使用者が塗布具ヘッド２５１を主塗布具２６０Ａから離れる方向に上向きに枢動させるように、シャフト２９５を（例えば、指により）押下することができるように、ヒンジ２９０を介して取付アーム２５５にシャフト２９５を接続することができる。
【００７９】
図３２Ａ及び図３２Ｂは、本発明の例示的な実施形態によるヒンジ２９０に関連する詳細を示す図である。図３２Ａは、ヒンジ２９０のその内部要素を例示するための断面図である。図３２Ａに示すように、ヒンジ２９０は、弾性部材（ばね等）５９２を収容する内部チャネルに面する背面５９０を含むことができる。弾性部材５９２は、摩擦及び捕捉部材５９５において背面５９０に対して力をかける。本発明の例示的な実施形態によれば、摩擦及び捕捉部材５９５は、可動要素２５０が、図２４Ａに示す下降位置と、図２７Ａ及び図２７Ｂに示す完全枢動位置との間の任意の位置を保持することができるように、背面５９０に対して十分な摩擦力をかける玉軸受等であり得る。したがって、使用者は、可動要素２５０のピボットの高さと、それに対応して主塗布具２６０Ａからの塗布具ヘッド２５１の高さとを調整することにより、図３０Ｂに例示する前後運動を使用して塗布されている化粧料の弧を調整することができる。
【００８０】
図３２Ｂに例示するように、背面５９０は、可動要素２５０が、図２４Ａに示す下降位置に配置されたときに摩擦及び捕捉要素５９５（例えば、玉軸受）を受け入れる切欠き６０５を組み込むことができる。弾性部材５９２がその内部チャネルの後壁並びに摩擦及び捕捉要素５９５に力をかけると、可動要素は、図２４Ａに示す下降位置において適所に保持される。これに対応して、背面５９０は、例えば、参照番号６１０によって示す位置に別の切欠きを組み込むことができる。したがって、可動要素２５０が、図２７Ａ及び図２７Ｂに示す完全枢動位置まで枢動して上昇すると、摩擦及び捕捉要素５９５は、切欠き６１０内に少なくとも部分的に嵌まる。弾性部材５９２がその内部チャネルの後壁並びに摩擦及び捕捉要素５９５に力をかけると、可動要素は、図２７Ａ及び図２７Ｂに示す完全枢動位置において適所に保持される。それにより、可動要素２５０の移動範囲は、化粧料塗布具２３０の有用性及び耐用性を向上させるように使用者によって画定される。
【００８１】
上述したように、化粧料塗布具２３０における塗布具のすべて（例えば、塗布具ヘッド２５１、主塗布具２６０Ａ及び二次塗布具２６０Ｂ）は、限定なしに、本明細書で考察したような任意の種類、形状又は分類、例えばブラシ、フォームパッド並びに異なる形状のフォーム部材及び異なる形状のブラシの使用と交換可能であり得る。例えば、塗布具ヘッド２５１を、異なる長さ（例えば、シャフト５０５の長さ）、サイズ、形状、種類又は分類を有する別の要素に、こうした異なる要素を継手２９７において取り付けることにより置き換えることができる。
【００８２】
図３３Ａ及び図３３Ｂは、本発明の例示的な実施形態による着脱可能且つ交換可能な主塗布具２６０Ａを例示する図である。図３３Ａ及び図３３Ｂに示すように、主塗布具２６０Ａは、化粧料塗布具２３０の本体２４０（例えば、図２９Ａ及び図２９Ｂに例示する上部２４２ｂ）に着脱可能に結合する取付要素７０５を組み込むことができる。本発明の例示的な実施形態によれば、取付要素７０５は、２つの端部を含む。そこで、上部２４２ｂに組み込まれた対応する巻付けフック（図示せず）が取付要素７０５を把持する。したがって、使用者は、主塗布具２６０Ａを、化粧料塗布具２３０に結合するための同様の取付要素７０５を有する別の異なる塗布具要素と交換することができる。
【００８３】
本文において、本発明の例示的なバージョンがより詳細に理解されるように多くの具体的な詳細を示した。しかしながら、当業者には、本発明のいくつかのバージョンが、本発明の範囲及び趣旨内にあり続けながら、これらの具体的な詳細の幾つかなしに実施され得ることが明らかとなるであろう。実際に、本明細書において「変形形態」、「複数の変形形態」及び「１つの／その変形形態」又は「１つのバージョン」、「バージョン」若しくは「実施形態」等と言及する場合、それは、その変形形態又はバージョンに関連して記載した特定の特徴、構造又は特性が、本開示による少なくとも１つのこうした変形形態又はバージョンに含まれることを意味するものと理解されるべきである。したがって、本明細書のさまざまな場所において、「１つの変形形態において」、「１つの実施形態におおいて」、「１つのバージョンにおいて」等の文言が現れる場合、それは、必ずしも同じバージョン又は変形形態をすべて指しているとは限らず、他のバージョン又は変形形態と相互に排他的である別個の又は代替的なバージョン又は変形形態でもない。さらに、いくつかの変形形態又はバージョンによって示され得るが、他の変形形態又はバージョンで示されない可能性があるさまざまな特徴が記載されている場合がある。同様に、いくつかの変形形態又はバージョンに対する要件であり得るが、他の変形形態又はバージョンでは要件であり得ないさまざまな要件が記載されている。さらに、本明細書を通して使用する「１つの（a）」、「１つの（an）」、「少なくとも」という用語は、量の限定を示すものではなく、逆に要素の単数の指示が必ずしもこうした要素の複数の指示を排除するものではないという意味で、言及した要素の少なくとも１つの存在を示すものである。同時に、「複数の」という用語は、２つ以上の言及した項目の存在を示す。最後に、「接続された」又は「結合された」という用語及び関連する用語は、動作的な意味で使用されており、必ずしも直接の接続又は結合に限定されない。
【００８４】
例として、化粧料塗布具（例えば、２３０）が、対応する塗布具ヘッド（例えば、２５１）を含む１つの可動要素（例えば、２５０）があるように記載されているが、当業者であれば、本発明の範囲及び趣旨から逸脱することなく、化粧料塗布具に追加の可動要素及び／又は塗布具ヘッド等の追加の要素を組み込み得ることが理解されるはずである。例として、複数の帯状の化粧料の混合物を塗布するために、（上述し且つ図２７Ａに示す要素２５１及び２６０Ａに加えて）、複数の塗布具ヘッドを互いに位置合わせする（又は「積み重ねる」）ことができる。
【００８５】
さまざまな動作について、本発明の実施形態の理解に有用であり得るような方法で複数の別個の動作として順次説明している場合がある。しかし、説明の順序は、これらの動作が順序に依存することを意味するように解釈されるべきではない。
【００８６】
当業者であれば、本明細書で用いるように、位置決め支持システム、装置、構造、連結機構等に対して、本明細書において示唆した実施形態に対するいかなる特定の限定もないことが理解されるであろう。その結果、当業者であれば、本明細書における関連する構造、特徴及びシステムを相互に入れ替えるか若しくは交換するか又は補完することが本発明の範囲及び趣旨内にあることを認識するであろう。
【００８７】
当業者であれば、本明細書で用いるように、化粧用システム若しくはキット又はそれらのアセンブリが、本発明の代替的な且つ適応的な組合せを例示するものであり、こうした変形形態のすべてが本発明の範囲及び趣旨内にあるものとして認識されるべきであることも認識するであろう。
【００８８】
当業者であれば、本明細書で用いるように、塗布部材の皮膚接触端部のタイプに対していかなる限定もないことも理解されるであろう。そうしたタイプは、限定されないが、ローラボール構成、繊維質ブラシ部材、フェルトから構成されたパッド部材、フォーム若しくはテキスタイル又は任意の組合せ、着色流体塗布を可能にするフェルトチップ又はフレアチップ端部、鋭利なチップ（例えば、塗布部材に含まれる固形又は半固形材料を塗布する剛性端部）を含む、使用者にメイクアップを施すための従来の技術において既知である任意のチップタイプから選択することができる。
【００８９】
当業者であれば、本明細書で用いるように、本発明、装置、方法及び代替的な実施形態が、本発明の範囲及び趣旨から逸脱することなく、眼瞼、眉毛、上眼瞼溝領域、眉毛下皮膚、目下皮膚又は使用者の顔面構造に関する任意の組合せ若しくは構成に化粧料を塗布するために使用できることがさらに理解されるであろう。
【００９０】
本明細書で用いる外側」という文言は、概して、好ましくは正中線１４から離れる方向における（ただし必須ではない）側方型の方向を指す。「内側」という文言は、概して、好ましくは正中線１４に向かう方向における（ただし必須ではない）同様の側方型の方向を指す。その結果、目４の内縁部４ａから外側に（正中線１４から離れる方向に）外縁部４ｂに向かう移動は、「外側」運動である。反対の方向は、内側運動であるか又は内側方向にある。
【００９１】
添付図面を参照して本発明の好ましい実施形態の少なくとも１つについて説明した。しかし、当業者であれば、本発明がそれらの厳密な実施形態に限定されないことと、本発明の範囲又は趣旨から逸脱することなく、本開示のシステムにおいてさまざまな変更形態及び変形形態を作成し得ることとが明らかとなるであろう。したがって、本開示は、本開示の変更形態及び変形形態が添付の請求項の範囲及びそれらの均等物内にあれば、それらを包含するように意図されている。
【図１】
2021502223.tif 000003
【図２】
2021502223.tif 000004
【図３】
2021502223.tif 000005
【図４】
2021502223.tif 000006
【図５】
2021502223.tif 000007
【図６】
2021502223.tif 000008
【図７】
2021502223.tif 000009
【図８】
2021502223.tif 000010
【図９】
2021502223.tif 000011
【図１０】
2021502223.tif 000012
【図１１】
2021502223.tif 000013
【図１２】
2021502223.tif 000014
【図１３】
2021502223.tif 000015
【図１４】
2021502223.tif 000016
【図１５】
2021502223.tif 000017
【図１６】
2021502223.tif 000018
【図１７】
2021502223.tif 000019
【図１８】
2021502223.tif 000020
【図１９】
2021502223.tif 000021
【図２０】
2021502223.tif 000022
【図２１】
2021502223.tif 000023
【図２２】
2021502223.tif 000024
【図２３】
2021502223.tif 000025
【図２４Ａ】
2021502223.tif 000026
【図２４Ｂ】
2021502223.tif 000027
【図２４Ｃ】
2021502223.tif 000028
【図２５】
2021502223.tif 000029
【図２６】
2021502223.tif 000030
【図２７Ａ】
2021502223.tif 000031
【図２７Ｂ】
2021502223.tif 000032
【図２７Ｃ】
2021502223.tif 000033
【図２７Ｄ】
2021502223.tif 000034
【図２７Ｅ】
2021502223.tif 000035
【図２８】
2021502223.tif 000036
【図２９Ａ】
2021502223.tif 000037
【図２９Ｂ】
2021502223.tif 000038
【図２９Ｃ】
2021502223.tif 000039
【図３０Ａ】
2021502223.tif 000040
【図３０Ｂ】
2021502223.tif 000041
【図３１】
2021502223.tif 000042
【図３２Ａ】
2021502223.tif 000043
【図３２Ｂ】
2021502223.tif 000044
【図３３Ａ】
2021502223.tif 000045
【図３３Ｂ】
2021502223.tif 000046
2021502223.tif 000047
2021502223.tif 000048
2021502223.tif 000049
2021502223.tif 000050
2021502223.tif 000051
2021502223.tif 000052
2021502223.tif 000053
2021502223.tif 000054
2021502223.tif 000055
2021502223.tif 000056
2021502223.tif 000057
2021502223.tif 000058
2021502223.tif 000059
2021502223.tif 000060
2021502223.tif 000061
2021502223.tif 000062
2021502223.tif 000063
2021502223.tif 000064
2021502223.tif 000065
2021502223.tif 000066
2021502223.tif 000067
2021502223.tif 000068
2021502223.tif 000069
2021502223.tif 000070
【国際調査報告】
2021502223.tif 000071
2021502223.tif 000072